(57)【特許請求の範囲】
【請求項１】
複数種類の図柄が施され、回転駆動される複数のリールと、遊技者からの各リールの停止操作を検出する操作部と、を備える遊技機であって、
前記操作部は、前記複数のリールに対応して設けられ、遊技者によって押圧されて移動し、中空に形成された複数の押圧体と、
前記複数の押圧体を移動可能に収容する収容部と、
各押圧体の内部で発光する発光部と、前記各押圧体の移動を検知する光学センサと、が実装され、且つ、前記収容部に収容される基板と、を備え、
前記複数の押圧体は、筒状に形成され、側面に略楕円状の第１の貫通孔が形成された筒部と、
前記筒部の筒孔における一方の開口を塞ぎ、遊技者によって押圧される押圧部と、
前記押圧部と対向し、前記筒部の筒孔における他方の開口を塞ぐ対向部と、
前記対向部の前記押圧部と対向する面の反対側の面における中心部付近から前記筒部の中心軸線に沿って突出する突出部と、を有し、
前記収容部は、箱状に形成され、平板状の前板部を有し、
前記前板部には、後方へ凹み、前記押圧体が前方から挿入される凹部が形成され、
前記凹部は、筒状に形成され、側面には、挿入された前記押圧体の前記第１の貫通孔と連通し、前記発光部が挿入される第２の貫通孔が形成され、前記押圧体の前記対向部と対向する底部には、前記突出部が挿通する第３の貫通孔が形成され、
前記光学センサは、前記前板部における前記凹部の前記底部よりも後方に配置されて、前記突出部の移動を検知することによって前記各押圧体の移動を検知し、
前記発光部は、前記第１の貫通孔及び前記第２の貫通孔を介して前記筒部の筒孔内に挿入されて、前記筒部の筒孔内における前記筒部の中心軸線付近に配置され、
前記発光部と、前記光学センサは、すべて同一の前記基板に実装され、
前記発光部、前記対向部、前記突出部及び前記光学センサは、前記押圧体の移動方向に沿って、前記発光部、前記対向部、前記突出部、前記光学センサの順に直線状に配置され、
前記対向部は、前記発光部における前記筒部の筒孔の他方へ照射される光を遮断し、
前記押圧体の移動方向における前記第１の貫通孔の長さは、前記押圧体の移動可能な距離よりも長く設定され、かつ前記押圧体の移動方向及び前記発光部が挿入された方向と直交する長さよりも長く設定され、
前記押圧体の移動方向における前記第２の貫通孔の長さは、前記押圧体の移動方向における前記第１の貫通孔の長さよりも短く設定されている
遊技機。
【請求項２】
前記対向部の前記押圧部と対向する面は、前記筒部の中心軸線に対して所定の角度で傾斜している
請求項１に記載の遊技機。
【発明の詳細な説明】
【技術分野】
【０００１】
本発明は、パチンコ機やパチスロ等の遊技機に関する。
【背景技術】
【０００２】
一般に、パチンコ機やパチスロ等の遊技機は、前面に、遊技者の操作を受け付ける操作部を備えている。
【０００３】
上記操作部として、特許文献１には、スロットマシン（パチスロ）のリールの回転を停止するスイッチ装置が開示されている。
このスイッチ装置は、楕円形のストップボタンと、ストップボタンを収容するスイッチケースと、発光ダイオード及びフォトセンサが設けられている基板と、を備えている。ストップボタンは、スイッチ操作を行うための操作面を形成する筒状の蓋から成る押しボタンと、押しボタン部材と嵌合する内筒と、を有している。内筒の底部には、発光ダイオードを収納するための挿入孔が設けられており、ストップボタンの内部には、発光ダイオードが配置されている。内筒の側面の端部には、帯板状の遮光片が延びている。基板は、スイッチケースに嵌合している。
また、このスイッチ装置では、ストップボタンの操作時期を内部の発光ダイオードが押しボタン部材を照らすことによって遊技者に知らせる。そして、ストップボタンが遊技者によって押圧されて、ストップボタンがスイッチケース内を移動すると、フォトセンサが遮光片の移動を検知して、リールの回転を止める。
【先行技術文献】
【特許文献】
【０００４】
【特許文献１】特開平８−２９８０４２号公報
【発明の概要】
【発明が解決しようとする課題】
【０００５】
しかしながら、特許文献１に記載されたスイッチ装置では、内筒の底部における中央部に発光ダイオードが挿入される挿入孔が設けられており、遮光片が内筒の側面から延びている。このため、押しボタン部材の押圧箇所に応じて遮光片の移動量に差が生じる。すなわち、押しボタン部材における遮光片に対向する側を押圧した場合は、遮光片の移動量が大きくなり、押しボタン部材における遮光片に対向する側と反対側を押圧した場合は、遮光片の移動量が小さくなる。このため、遊技者が同じ力で押しボタン部材を押圧しても、押圧箇所によっては、遮光片の移動量が小さくてフォトセンサが遮光片の移動を検知できず、リールの回転が停止されない場合がある。したがって、遊技者が意図した操作を検出することができないおそれがある。
【０００６】
押圧箇所に応じた遮光片の移動量の変動を小さくするためには、例えば、内筒の底部における中央部付近に遮光片を設けることが考えられる。しかし、この場合は、遮光片の移動を検知するフォトセンサに、挿入孔から漏れた発光ダイオードの光が照射され、フォトセンサが遮光片の移動を正確に検知できない可能性がある。したがって、遊技者が意図した操作を検出することができないおそれがある。
【０００７】
そこで、挿入孔から漏れる光がフォトセンサに照射されないようにするためには、発光ダイオードが挿入される挿入孔を内筒の底部における中央部以外に設けることが考えられる。しかし、この場合は、内筒内に配置される発光ダイオードが内筒の中心軸線付近に配置されなくなり、押しボタン部材を均一に光らせることができない。このため、遊技者が押しボタン部材が光っていることを認識できない可能性がある。
【０００８】
そこで本発明は、遊技者に押圧される部材を均一に光らせることができ、且つ、遊技者が意図した操作を精度良く検出することができる遊技機を提供することを目的とする。
【課題を解決するための手段】
【０００９】
上記目的を達成するため、本発明の遊技機は、複数種類の図柄が施され、回転駆動される複数のリールと、遊技者からの各リールの停止操作を検出する操作部と、を備える。
【００１０】
操作部は、複数のリールに対応して設けられ、遊技者によって押圧されて移動し、中空に形成された複数の押圧体と、複数の押圧体を移動可能に収容する収容部と、各押圧体の内部で発光する発光部と、各押圧体の移動を検知する光学センサと、が実装され、且つ、収容部に収容される基板と、を備える。
また、複数の押圧体は、筒状に形成され、側面に第１の貫通孔が形成された筒部と、筒部の筒孔における一方の開口を塞ぎ、遊技者によって押圧される押圧部と、押圧部と対向し、筒部の筒孔における他方の開口を塞ぐ対向部と、対向部の押圧部と対向する面の反対側の面における中心部付近から筒部の中心軸線に沿って突出する突出部と、を有する。
また、収容部は、箱状に形成され、平板状の前板部を有し、前板部には、後方へ凹み、押圧体が前方から挿入される凹部が形成されている。凹部は、筒状に形成され、側面には、挿入された押圧体の第１の貫通孔と連通し、発光部が挿入される第２の貫通孔が形成されている。
また、光学センサは、突出部の移動を検知することによって各押圧体の移動を検知し、発光部は、第１の貫通孔及び第２の貫通孔を介して筒部の筒孔内における筒部の中心軸線付近に配置され、発光部と、光学センサは、すべて同一の基板に実装されている。
そして、押圧体の移動方向における第１の貫通孔の長さは、押圧体の移動可能な距離よりも長く設定され、押圧体の移動方向における第２の貫通孔の長さは、押圧体の移動方向における第１の貫通孔の長さよりも短く設定されている。
【００１１】
上記構成では、突出部が、対向部の押圧部と対向する面の反対側の面における中心部付近から筒部の中心軸線に沿って突出する。
このため、押圧部の押圧箇所に応じた突出部の移動量の変動を小さくすることができる。したがって、遊技者の押圧部の押圧箇所に関わらず、光学センサが突出部の移動を精度良く検知することができる。これによって、遊技者が意図した操作を精度良く検出することができる。
【００１２】
また、対向部が筒部の筒孔における他方の開口を塞ぎ、突出部が対向部の押圧部と対向する面の反対側の面における中心部付近から筒部の中心軸線に沿って突出する。
このため、突出部の移動を検知する光学センサに発光部の光が照射することを防ぐことができる。したがって、遊技者が意図した操作を精度良く検出することができる。
【００１３】
また、発光部が、貫通孔を介して筒部の筒孔内における筒部の中心軸線付近に配置される。
このため、発光部から照射される光によって、押圧部を均一に光らせることができる。
【発明の効果】
【００１４】
本発明によれば、遊技者に押圧される部材を均一に光らせることができ、且つ、遊技者が意図した操作を精度良く検出することができる。
【図面の簡単な説明】
【００１５】
【図１】本発明の一実施形態の遊技機における機能フローを説明する説明図である。
【図２】本発明の一実施形態の遊技機における外観構成例を示す斜視図である。
【図３】本発明の一実施形態の遊技機における内部構造を示すものであり、ミドルドアを閉じた状態の斜視図である。
【図４】本発明の一実施形態の遊技機における内部構造を示すものであり、ミドルドアを開けた状態の斜視図である。
【図５】本発明の一実施形態の遊技機におけるキャビネットの内部を示す説明図である。
【図６】本発明の一実施形態の遊技機におけるフロントドアの裏面側を示す説明図である。
【図７】本発明の一実施形態の遊技機における制御系を示すブロック図である。
【図８】本発明の一実施形態の遊技機における主制御回路の構成例を示すブロック図である。
【図９】本発明の一実施形態の遊技機における副制御回路の構成例を示すブロック図である。
【図１０】本発明の一実施形態の遊技機における操作部の斜視図である。
【図１１】本発明の一実施形態の遊技機における操作部の分解斜視図である。
【図１２】図１０の操作部における前部材の平面図である。
【図１３】図１０の操作部における前部材を後斜め下方から視た斜視図である。
【図１４】図１０の操作部における後部材の斜視図である。
【図１５】図１０の操作部における筒部の正面図である。
【図１６】図１５のＣ−Ｃ線断面図である。
【図１７】図１０の操作部における筒部を後斜め上方から視た斜視図である。
【図１８】図１０の操作部におけるカバー部を後斜め上方から視た斜視図である。
【図１９】図１０のＡ−Ａ線矢視断面図である。
【図２０】図１０のＢ−Ｂ線矢視断面図である。
【図２１】図１０の操作部における前部材にストップスイッチ基板を組み付けた状態を説明する説明図である。
【図２２】図１０の操作部におけるストップボタンを押圧した状態のＢ−Ｂ線矢視断面図である。
【発明を実施するための形態】
【００１６】
本発明の遊技機の実施の形態を示すパチスロについて、図１〜図２２を参照しながら説明する。はじめに、図１を参照して、遊技機の実施の形態に係る機能フローについて説明する。
【００１７】
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１８】
遊技者によりメダルが投入され、スタートレバーが操作されると、予め定められた数値の範囲（例えば、０〜６５５３５）の乱数から１つの値（以下、乱数値）が抽出される。
【００１９】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２０】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２１】
パチスロでは、基本的に、ストップボタンが押されたときから規定時間（１９０ｍｓｅｃ）内に、該当するリールの回転を停止する制御が行われる。本実施の形態では、上記規定時間内にリールの回転に伴って移動する図柄の数を「滑り駒数」と呼び、その最大数を図柄４個分に定める。
【００２２】
リール停止制御手段は、入賞に係る図柄の組合せの表示を許可する内部当籤役が決定されているときは、上記規定時間を利用して、その図柄の組合せが入賞判定ラインに沿って極力表示されるようにリールの回転を停止する。また、リール停止制御手段は、上記規定時間を利用して、内部当籤役によってその表示が許可されていない図柄の組合せが入賞判定ラインに沿って表示されないようにリールの回転を停止する。
【００２３】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞に係るものであるとの判定が行われると、メダルの払い出し等の特典が遊技者に与えられる。以上のような一連の流れがパチスロにおける１回の遊技として行われる。
【００２４】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００２５】
スタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２６】
演出内容が決定されると、演出実行手段は、リールの回転が開始されるとき、各リールの回転がそれぞれ停止されるとき、入賞の有無の判定が行われたとき等の各契機に連動させて演出の実行を進める。この演出実行手段は、後述する副制御回路が担う。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２７】
＜パチスロの構造＞
次に、図２〜図６を参照して、一実施形態におけるパチスロ１の構造について説明する。
【００２８】
［外観構造］
図２は、パチスロ１の外部構造を示す斜視図である。
【００２９】
パチスロ１の外装体２は、リールや回路基板等を収容するキャビネット２ａと、キャビネット２ａに対して開閉可能に取り付けられるフロントドア２ｂとを有している。
キャビネット２ａの両側面には、把手７が設けられている。この把手７は、パチスロ１を運搬するときに手をかける凹部である。
【００３０】
キャビネット２ａの内部には、３つのリール３Ｌ，３Ｃ，３Ｒが横並びに設けられている。リール３Ｌは、キャビネット２ａを前方から視て左側に配置され、リール３Ｃは、中央に配置されている。そして、リール３Ｒは、キャビネットを前方から視て右側に配置されている。各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【００３１】
フロントドア２ｂの中央よりも上側には、上パネルユニット１０と、液晶表示装置１１が設けられている。上パネルユニット１０は、フロントドア２ｂの上部を形成している。この上パネルユニット１０は、光源を有しており、光源から出射される光による演出を実行する。液晶表示装置１１は、上パネルユニット１０の下側に配置されており、映像の表示による演出を実行する。
【００３２】
フロントドア２ｂの中央には、台座部１２が形成されている。この台座部１２には、図柄表示領域４と、遊技者による操作の対象となる各種装置が設けられている。
【００３３】
図柄表示領域４は、正面から見て３つのリール３Ｌ，３Ｃ，３Ｒに重畳する手前側に配置されており、３つのリール３Ｌ，３Ｃ，３Ｒに対応して設けられている。この図柄表示領域４は、表示窓としての機能を果たすものであり、その背後に設けられた各リール３Ｌ，３Ｃ，３Ｒを透過することが可能な構成になっている。以下、図柄表示領域４を、リール表示窓４という。
【００３４】
リール表示窓４は、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。本実施の形態では、リール表示窓４の各リール３Ｌ，３Ｃ，３Ｒに対向する上段、中段及び下段からなる３つの領域のうち予め定められたいずれかをそれぞれ組合せてなる擬似的なラインを、入賞か否かの判定を行う対象となるライン（入賞判定ライン）として定義する。
【００３５】
リール表示窓４は、台座部１２に設けられた枠部材１３により形成されている。この枠部材１３は、リール表示窓４と、情報表示窓１４と、操作部１５を有している。
【００３６】
情報表示窓１４は、リール表示窓４の下部に連続して設けられており、上方に向かって開口している。すなわち、リール表示窓４と情報表示窓１４は、連続する１つの開口部として形成されている。この情報表示窓１４及びリール表示窓４は、透明の窓カバー１６によって覆われている。
【００３７】
窓カバー１６は、枠部材１３の内面側に配置されており、フロントドア２ｂの前面側から取り外し不可能になっている。また、枠部材１３は、窓カバー１６を挟んで情報表示窓１４の開口に対向するシート載置部１７を有している。そして、シート載置部１７と窓カバー１６との間には、遊技に関する情報が記載されたシート部材（情報シート）が配置されている。したがって、情報シートは、凹凸や隙間の無い滑らかな表面を有する窓カバー１６により覆われている。
【００３８】
情報シートの取付部を構成する窓カバー１６は、フロントドア２ｂの前面側から取り外し不可能であり、凹凸や隙間の無い滑らかな表面であるため、情報シートの取付部を利用して、パチスロ１の内部にアクセスする不正行為を防ぐことができる。
なお、情報シートの交換については、後で図４を参照して説明する。
【００３９】
本実施の形態では、リール表示窓４と情報表示窓１４を、連続する１つの開口部として形成した。しかし、本発明の遊技機に係る情報表示窓は、リール表示窓の下方に設けられていればよく、リール表示窓に連続していなくてもよい。すなわち、本発明の遊技機に係るリール表示窓と情報表示窓は、上下方向に並ぶ２つの開口部として形成してもよい。
【００４０】
操作部１５は、情報表示窓１４の下方に設けられている。操作部１５は、ストップボタン（押圧体）１９Ｌ，１９Ｃ，１９Ｒを有している。ストップボタン１９Ｌは、キャビネット２ａを前方から視て左側に配置され、ストップボタン１９Ｃは、中央に配置されている。そして、ストップボタン１９Ｒは、キャビネット２ａを前方から視て右側に配置されている。ストップボタン１９Ｌはリール３Ｌに対応づけられ、ストップボタン１９Ｃはリール３Ｃに対応づけられている。また、ストップボタン１９Ｒはリール３Ｒに対応づけられている。これらストップボタン１９Ｌ，１９Ｃ，１９Ｒは、対応するリールの回転を停止するために遊技者によって押圧される。以下、ストップボタン１９Ｌ，１９Ｃ，１９Ｒを、ストップボタン１９と総称する場合がある。
【００４１】
ストップボタン１９Ｌ，１９Ｃ，１９Ｒは、遊技者による操作の対象となる各種装置の一例を示す。また、台座部１２には、遊技者による操作の対象となる各種装置として、メダル投入口２１、ＢＥＴボタン２２、スタートレバー２３が設けられている。なお、操作部１５及びストップボタン１９Ｌ，１９Ｃ，１９Ｒの詳細は後述する。
【００４２】
メダル投入口２１は、遊技者によって外部から投下されるメダルを受け入れるために設けられる。メダル投入口２１に受け入れられたメダルは、予め定められた規定数を上限として１回の遊技に投入されることとなり、規定数を超えた分はパチスロ１の内部に預けることが可能となる（いわゆるクレジット機能）。
【００４３】
ＢＥＴボタン２２は、パチスロ１の内部に預けられているメダルから１回の遊技に投入する枚数を決定するために設けられる。スタートレバー２３は、全てのリール（３Ｌ，３Ｃ，３Ｒ）の回転を開始するために設けられる。
【００４４】
また、正面から見てリール表示窓４の左側方には、７セグメントＬＥＤ（Light Emitting Diode）からなる７セグ表示器２４が設けられている。この７セグ表示器２４は、特典として遊技者に対して払い出すメダルの枚数（以下、払出枚数）、パチスロ内部に預けられているメダルの枚数（以下、クレジット枚数）等の情報をデジタル表示する。
【００４５】
台座部１２の両側には、サイドパネルユニット２６Ｌ，２６Ｒが設けられている。このサイドパネルユニット２６Ｌ，２６Ｒは、それぞれ光源を有しており、光源から出射される光による演出を実行する。また、サイドパネルユニット２６Ｌの下方には、精算ボタン２７が設けられている。この精算ボタン２７は、パチスロ１の内部に預けられているメダルを外部に引き出すために設けられる。
【００４６】
台座部１２の下方には、腰部パネルユニット３１が設けられている。腰部パネルユニット３１は、任意の画像が描かれた装飾パネルと、この装飾パネルを背面側から照明するための光を出射する光源を有している。
【００４７】
腰部パネルユニット３１の下方には、メダル払出口３２と、スピーカ用孔３３Ｌ，３３Ｒと、メダルトレイユニット３４が設けられている。メダル払出口３２は、後述のホッパー装置５１の駆動により排出されるメダルを外部に導く。メダル払出口３２から排出されたメダルは、メダルトレイユニット３４に貯められる。スピーカ用孔３３Ｌ，３３Ｒは、演出内容に応じた効果音や楽曲等の音を出力するために設けられている。
【００４８】
［内部構造］
図３及び図４は、パチスロ１の内部構造を示す斜視図である。この図３では、フロントドア２ｂが開放され、フロントドア２ｂの裏面側に設けられたミドルドア４１がフロントドア２ｂに対して閉じた状態を示している。また、図４では、フロントドア２ｂが開放され、ミドルドア４１がフロントドア２ｂに対して開いた状態を示している。
また、図５は、キャビネット２ａの内部を示す説明図である。図６は、フロントドア２ｂの裏面側を示す説明図である。
【００４９】
キャビネット２ａは、上面板２０ａと、底面板２０ｂと、左右の側面板２０ｃ，２０ｄと、背面板２０ｅを有している（図５参照）。キャビネット２ａ内部の上側には、キャビネット側スピーカ４２が配設されている。このキャビネット側スピーカ４２は、取付ブラケット４３Ｌ，４３Ｒを介してキャビネット２ａの背面板２０ｅに取り付けられている。キャビネット側スピーカ４２は、例えば、効果音を出力するためのスピーカである。
【００５０】
キャビネット２ａ内部を正面から見て、キャビネット側スピーカ４２の左側方には、キャビネット側中継基板４４が配設されている。このキャビネット側中継基板４４は、キャビネット２ａの左側面板２０ｃに取り付けられている。キャビネット側中継基板４４は、ミドルドア４１（図３及び図４参照）に取り付けられた後述する主制御基板７１（図７参照）と、ホッパー装置５１、遊技メダル補助収納庫スイッチ（不図示）、メダル払出カウントスイッチ（不図示）とを接続する配線の中継を行う。
【００５１】
キャビネット２ａ内部の中央部には、キャビネット側スピーカ４２による音の出力を制御するアンプ基板４５が配設されている。このアンプ基板４５は、左右の側面板２０ｃ，２０ｄに固定された取付棚４６に取り付けられている。
【００５２】
また、キャビネット２ａ内部を正面から見て、アンプ基板４５の右側には、外部集中端子板４７が配設されている。この外部集中端子板４７は、キャビネット２ａの右側面板２０ｄに取り付けられている。外部集中端子板４７は、メダル投入信号、メダル払出信号及びセキュリティー信号などの信号をパチスロ１の外部へ出力するために設けられている。
【００５３】
キャビネット２ａ内部を正面から見て、アンプ基板４５の左側には、サブ電源装置４８が配設されている。このサブ電源装置４８は、キャビネット２ａの左側面板２０ｃに取り付けられている。サブ電源装置４８は、交流電圧１００Ｖの電力を後述する電源装置５３に供給する。また、交流電圧１００Ｖの電力を直流電圧の電力に変換して、アンプ基板４５に供給する。
【００５４】
キャビネット２ａの内部の下側には、ホッパー装置５１と、メダル補助収納庫５２と、電源装置５３が配設されている。
【００５５】
ホッパー装置５１は、キャビネット２ａにおける底面板２０ｂの中央部に取り付けられている。このホッパー装置５１は、多量のメダルを収容可能で、それらを１枚ずつ排出可能な構造を有する。ホッパー装置５１は、貯留されたメダルが例えば５０枚を超えたとき、又は精算ボタンが押圧されてメダルの精算を行うときに、メダルを払い出す。ホッパー装置５１によって払い出されたメダルは、メダル払出口３２（図２参照）から排出される。
【００５６】
メダル補助収納庫５２は、ホッパー装置５１から溢れ出たメダルを収納する。このメダル補助収納庫５２は、キャビネット２ａ内部を正面から見て、ホッパー装置５１の右側に配置されている。メダル補助収納庫５２は、キャビネット２ａの底面板２０ｂに係合されており、底面板２０ｂに対して着脱可能に構成されている。
【００５７】
電源装置５３は、電源スイッチ５３ａと、電源基板５３ｂを有している（図７参照）。この電源装置５３は、キャビネット２ａ内部を正面から見て、ホッパー装置５１の左側に配置されており、左側面板２０ｃに取り付けられている。電源装置５３は、サブ電源装置４８から供給された交流電圧１００Ｖの電力を各部で必要な直流電圧の電力に変換して、変換した電力を各部へ供給する。
【００５８】
図３，図４及び図６に示すように、ミドルドア４１は、フロントドア２ｂの裏面における中央部に配置され、リール表示窓４（図４参照）を裏側から開閉可能に構成されている。ミドルドア４１の上部と下部には、ドアストッパ４１ａ，４１ｂ，４１ｃが設けられている。このドアストッパ４１ａ，４１ｂ，４１ｃは、リール表示窓４を裏側から閉じた状態のミドルドア４１の開動作を固定（禁止）する。すなわち、ミドルドア４１を開くには、ドアストッパ４１ａ，４１ｂ，４１ｃを回転させてミドルドア４１の固定を解除する必要がある。
【００５９】
ミドルドア４１には、主制御基板７１（図７参照）を収納した主制御基板ケース５５と、３つのリール３Ｌ，３Ｃ，３Ｒが取り付けられている。３つのリール３Ｌ，３Ｃ，３Ｒには、所定の減速比をもったギアを介してステッピングモータが接続されている。
【００６０】
図４に示すように、ミドルドア４１を開くと、窓カバー１６の裏面とシート載置部１７が露出される。上述したように、窓カバー１６の裏面とシート載置部１７との間には、遊技に関する情報が記載された情報シートが配置されている。この情報シートは、ミドルドア４１を開いて窓カバー１６の裏面とシート載置部１７を露出させた状態で、窓カバー１６の裏面とシート載置部１７との間に形成された間隙に挿入される。また、情報シートを交換する場合も、ミドルドア４１を開いてから情報シートの交換作業が行われる。
【００６１】
主制御基板ケース５５には、設定用鍵型スイッチ５６が設けられている。この設定用鍵型スイッチ５６は、パチスロ１の設定を変更もしくはパチスロ１の設定の確認を行うときに使用する。
本実施の形態では、主制御基板ケース５５と、この主制御基板ケース５５に収納された主制御基板７１により、主制御基板ユニットが構成されている。
【００６２】
主制御基板ケース５５に収納された主制御基板７１は、後述する主制御回路９１（図８参照）を構成する。主制御回路９１は、内部当籤役の決定、リール３Ｌ，３Ｃ，３Ｒの回転及び停止、入賞の有無の判定といった、パチスロ１における遊技の主な流れを制御する回路である。主制御回路９１の具体的な構成は後述する。
【００６３】
ミドルドア４１の上方には、副制御基板７２（図７参照）を収容する副制御基板ケース５７が配設されている。副制御基板ケース５７に収納された副制御基板７２は、副制御回路１０１（図９参照）を構成する。この副制御回路１０１は、映像の表示等による演出の実行を制御する回路である。副制御回路１０１の具体的な構成は後述する。
【００６４】
副制御基板ケース５７の上方には、センタースピーカ５８が配設されている。そして、フロントドア２ｂを裏面側から見て、センタースピーカ５８の左側方には、ファン５９が配設されている。つまり、ファン５９は、フロントドア２ｂの裏面側における上部に配設されている。このファン５９は、下向きに空気を送風し、パチスロ１の内部を空冷する。
【００６５】
フロントドア２ｂを裏面側から見て、副制御基板ケース５７の右側方には、副中継基板６１が配設されている。この副中継基板６１は、副制御基板７２と主制御基板７１とを接続する配線を中継する。また、副制御基板７２と副制御基板７２の周辺に配設された基板とを接続する配線を中継する基板である。なお、副制御基板７２の周辺に配設される基板としては、後述するＬＥＤ基板６２Ａ，６２Ｂが挙げられる。
【００６６】
ＬＥＤ基板６２Ａ，６２Ｂは、フロントドア２ｂの裏面側から見て、副制御基板ケース５７の上方に配設されている。これらＬＥＤ基板６２Ａ，６２Ｂは、副制御回路１０１（図８参照）の制御により実行される演出に応じて、光源の一具体例を示すＬＥＤ（Light Emitting Diode）８５（図７参照）を発光させて、点滅パターンを表示する。なお、本実施の形態のパチスロ１には、ＬＥＤ基板６２Ａ，６２Ｂ以外に複数のＬＥＤ基板を備えている。
【００６７】
副中継基板６１の下方には、２４ｈドア開閉監視ユニット６３が配設されている。この２４ｈドア開閉監視ユニット６３は、ミドルドア４１の開閉の履歴を保存する。また、ミドルドア４１を開放したときに、液晶表示装置１１にエラー表示を行うための信号を副制御基板７２（副制御回路１０１）に出力する。
【００６８】
ミドルドア４１の下方には、ボードスピーカ６４と、下部スピーカ６５Ｌ，６５Ｒが配設されている。ボードスピーカ６４は、腰部パネルユニット３１（図２参照）に対向しており、下部スピーカ６５Ｌ，６５Ｒは、それぞれスピーカ用孔３３Ｌ，３３Ｒ（図２参照）に対向している。
【００６９】
下部スピーカ６５Ｌの上方には、セレクタ６６と、ドア開閉監視スイッチ６７が配設されている。セレクタ６６は、メダルの材質や形状等が適正であるか否かを選別する装置であり、メダル投入口２１に投入された適正なメダルをホッパー装置５１へ案内する。セレクタ６６内においてメダルが通過する経路上には、適正なメダルが通過したことを検出するメダルセンサ（不図示）が設けられている。
【００７０】
ドア開閉監視スイッチ６７は、フロントドア２ｂを裏面側から見て、セレクタ６６の左側方に配置されている。このドア開閉監視スイッチ６７は、パチスロ１の外部へ、フロントドア２ｂの開閉を報知するためのセキュリティー信号を出力する。
【００７１】
また、リール表示窓４の下方であってミドルドア４１により開閉される領域には、ドア中継端子板６８が配設されている（図４参照）。このドア中継端子板６８は、主制御基板ケース５５内の主制御基板７１（図７参照）と、各種のボタンやスイッチ、副制御基板７２（図７参照）、セレクタ６６及び遊技動作表示基板８１（図７参照）との配線を中継する基板である。なお、各種のボタン及びスイッチとしては、例えば、ＢＥＴボタン２２、精算ボタン２７、ドア開閉監視スイッチ６７、後述するＢＥＴスイッチ７７、スタートスイッチ７９等を挙げることができる。
【００７２】
＜パチスロが備える制御系＞
次に、パチスロ１が備える制御系について、図７を参照して説明する。
図７は、パチスロ１の制御系を示すブロック図である。
【００７３】
パチスロ１は、ミドルドア４１に配設された主制御基板７１と、フロントドア２ｂに配設された副制御基板７２を有している。
主制御基板７１には、リール中継端子板７４と、設定用鍵型スイッチ５６と、外部集中端子板４７と、ホッパー装置５１と、メダル補助収納庫スイッチ７５と、電源装置５３の電源基板５３ｂが接続されている。設定用鍵型スイッチ５６、外部集中端子板４７、ホッパー装置５１及びメダル補助収納庫スイッチ７５は、キャビネット側中継基板４４を介して主制御基板７１に接続されている。外部集中端子板４７及びホッパー装置５１については、上述したため、説明を省略する。
【００７４】
リール中継端子板７４は、各リール３Ｌ，３Ｃ，３Ｒのリール本体の内側に配設されている。このリール中継端子板７４は、各リール３Ｌ，３Ｃ，３Ｒのステッピングモータ（不図示）に電気的に接続されており、主制御基板７１からステッピングモータに出力される信号を中継する。
【００７５】
メダル補助収納庫スイッチ７５は、メダル補助収納庫５２の後述するスイッチ貫通孔を貫通している。このメダル補助収納庫スイッチ７５は、メダル補助収納庫５２がメダルで満杯になっているか否かを検出する。
【００７６】
電源装置５３の電源基板５３ｂには、電源スイッチ５３ａが接続されている。この電源スイッチ５３ａは、パチスロ１に必要な電源を供給するときにＯＮにする。
【００７７】
また、主制御基板７１には、ドア中継端子板６８を介して、セレクタ６６、ドア開閉監視スイッチ６７、ＢＥＴスイッチ７７、精算スイッチ７８、スタートスイッチ７９、ストップスイッチ基板（基板）４００、遊技動作表示基板８１及び副中継基板６１が接続されている。セレクタ６６、ドア開閉監視スイッチ６７及び副中継基板６１については、上述したため、説明を省略する。
【００７８】
ＢＥＴスイッチ７７は、ＢＥＴボタン２２が遊技者により押されたことを検出する。精算スイッチ７８は、精算ボタン２７が遊技者により押されたことを検出する。スタートスイッチ７９は、スタートレバー２３が遊技者により操作されたこと（開始操作）を検出する。
【００７９】
ストップスイッチ基板４００は、回転しているリールを停止させるための回路と、停止可能なリールをＬＥＤなどにより表示するための回路を構成する基板である。ストップスイッチ基板４００には、各ストップボタン１９Ｌ，１９Ｃ，１９Ｒに対応づけられた３つのＬＥＤ（Light Emitting Diode）４１０及び３つのフォトセンサ（光学センサ）４２０が実装されている。フォトセンサ４２０は、各ストップボタン１９Ｌ，１９Ｃ，１９Ｒが押圧されていないときはハイレベルの信号を出力し、各ストップボタン１９Ｌ，１９Ｃ，１９Ｒが押圧されて後方へ所定距離移動したときはローレベルの信号（押圧検出信号）を出力する。
【００８０】
遊技動作表示基板８１は、メダルの投入を受け付けるとき、３つのリール３Ｌ，３Ｃ，３Ｒが回動可能なとき及び再遊技を行うときに、投入されたメダルの枚数を７セグ表示器２４に表示させるための基板である。この遊技動作表示基板８１には、７セグ表示器２４とＬＥＤ８２が接続されている。ＬＥＤ８２は、例えば、遊技の開始を表示するマークや再遊技を行うマークなどを点灯させる。
【００８１】
副制御基板７２は、ドア中継端子板６８と副中継基板６１を介して主制御基板７１に接続されている。この副制御基板７２には、副中継基板６１を介して、サウンドＩ／Ｏ基板８４、ＬＥＤ基板６２Ａ，６２Ｂ、２４ｈドア開閉監視ユニット６３が接続されている。これらＬＥＤ基板６２Ａ，６２Ｂ及び２４ｈドア開閉監視ユニット６３については、上述したため、説明を省略する。
【００８２】
サウンドＩ／Ｏ基板８４は、センタースピーカ５８、ボードスピーカ６４、下部スピーカ６５Ｌ，６５Ｒ及びフロントドア２ｂに設けられた不図示のスピーカへの音声の出力を行う。
【００８３】
また、副制御基板７２には、ロムカートリッジ基板８６と、液晶中継基板８７が接続されている。これらロムカートリッジ基板８６及び液晶中継基板８７は、副制御基板７２と共に副制御基板ケース５７に収納されている。
ロムカートリッジ基板８６は、演出用の画像（映像）、音声、ＬＥＤ基板６２Ａ，６２Ｂ及びその他のＬＥＤ基板（不図示）、通信のデータを管理するための基板である。液晶中継基板８７は、副制御基板７２と液晶表示装置１１とを接続する配線を中継する基板である。
【００８４】
＜主制御回路＞
次に、主制御基板７１により構成される主制御回路９１について、図８を参照して説明する。
図８は、パチスロ１の主制御回路９１の構成例を示すブロック図である。
【００８５】
主制御回路９１は、主制御基板７１上に設置されたマイクロコンピュータ９２を主たる構成要素としている。マイクロコンピュータ９２は、メインＣＰＵ９３、メインＲＯＭ９４及びメインＲＡＭ９５により構成される。
【００８６】
メインＲＯＭ９４には、メインＣＰＵ９３により実行される制御プログラム、データテーブル、副制御回路１０１に対して各種制御指令（コマンド）を送信するためのデータ等が記憶されている。メインＲＡＭ９５には、制御プログラムの実行により決定された内部当籤役等の各種データを格納する格納領域が設けられる。
【００８７】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００８８】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００８９】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００９０】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００９１】
上述したように、本実施の形態では、滑り駒数の最大数を図柄４個分に定めている。したがって、ストップボタン１９Ｌが押されたときにリール表示窓４の中段にあるリール３Ｌの図柄と、その４個先の図柄までの範囲内にある各図柄が、リール表示窓４の中段に停止可能な図柄となる。
【００９２】
また、メインＣＰＵ９３は、ストップスイッチ基板４００のフォトセンサ４２０がハイレベルの信号を出力しているときは、ストップスイッチ基板４００のＬＥＤ４１０に、点灯を指示する点灯信号を出力する。一方、メインＣＰＵは、フォトセンサ４２０がローレベルの信号（押圧検知信号）を出力しているときは、ストップスイッチ基板４００のＬＥＤ４１０に、消灯を指示する消灯信号を送信する。
【００９３】
＜副制御回路＞
次に、副制御基板７２により構成される副制御回路１０１について、図９を参照して説明する。
図９は、パチスロ１の副制御回路１０１の構成例を示すブロック図である。
【００９４】
副制御回路１０１は、主制御回路９１と電気的に接続されており、主制御回路９１から送信されるコマンドに基づいて演出内容の決定や実行等の処理を行う。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００９５】
サブＣＰＵ１０２は、主制御回路９１から送信されたコマンドに応じて、ロムカートリッジ基板８６に記憶されている制御プログラムに従い、映像、音、光の出力の制御を行う。ロムカートリッジ基板８６は、基本的に、プログラム記憶領域とデータ記憶領域によって構成される。
【００９６】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図６参照）による映像の表示を制御する描画制御タスク、ＬＥＤ８５等の光源による光の出力を制御するランプ制御タスク、スピーカ５８，６４，６５Ｌ，６５Ｒ等のスピーカによる音の出力を制御する音声制御タスク等が含まれる。
【００９７】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００９８】
サブＲＡＭ１０３は、決定された演出内容や演出データを登録する格納領域や、主制御回路９１から送信される内部当籤役等の各種データを格納する格納領域が設けられている。
【００９９】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【０１００】
また、サブＣＰＵ１０２は、演出内容により指定されたサウンドデータに従ってＢＧＭなどの音をスピーカ５８，６４，６５Ｌ，６５Ｒ等のスピーカにより出力させる。また、サブＣＰＵ１０２は、演出内容により指定されたランプデータに従ってＬＥＤ８５等の光源の点灯及び消灯を制御する。
【０１０１】
＜操作部＞
次に、操作部１５について、図１０〜図２２を参照して説明する。なお、図１０〜図２２において、パチスロ１の前方を矢印Ｆ、後方を矢印Ｂ、左方を矢印Ｌ、右方を矢印Ｒ、上方を矢印Ｕ、下方を矢印Ｄで示す。
まず、図１０〜図１１を参照して、操作部１５の構成の概略を説明する。図１０は、操作部１５の斜視図である。なお、図１０においては、フロントドア２ｂの枠部材１３など操作部１５以外の部材の図示は省略している。図１１は、操作部１５の分解斜視図である。
【０１０２】
図１０及び図１１に示すように、操作部１５は、ストップボタン１９Ｌ，１９Ｃ，１９Ｒと、ストップボタン１９を前後方向に移動可能に収容する収容部３００と、を有している。また、操作部１５は、光源としてのＬＥＤ４１０及びフォトセンサ４２０が実装されているストップスイッチ基板４００（図１１参照）と、カバー部５００と、を有している。
【０１０３】
収容部３００は、略箱状の部材であり、内部にストップボタン１９とストップスイッチ基板４００を収容する。収容部３００は、前部材３１０と、後部材３５０の２部材で構成されている。前部材３１０と後部材３５０の構成については、後述する。
【０１０４】
図１１に示すように、ストップスイッチ基板４００は、横長の平板状に形成され、上下方向に略垂直な上面及び下面を有している。このストップスイッチ基板４００の左右両端部には、上下方向に貫通する嵌合孔４３０が設けられている。また、ストップスイッチ基板４００の上面には、ストップボタン１９Ｌ，１９Ｃ，１９Ｒに対応する３つのＬＥＤ４１０及び３つのフォトセンサ４２０が実装されている。
【０１０５】
ＬＥＤ４１０は、上方から視て略円形状に形成され、光を照射する発光部４１１と、ストップスイッチ基板４００にはんだ付けされる端子４１２と、を有している。
図１１に示すように、フォトセンサ４２０は、発光ダイオード４２１とフォトダイオード４２２を有するフォトカプラである。発光ダイオード４２１とフォトダイオード４２２は、ストップスイッチ基板４００に固定された略Ｕ字状のブラケット４２３に支持されて、互いに対向するように配置されている。
【０１０６】
発光ダイオード４２１は所定光量の光を常に発光する。フォトダイオード４２２が所定光量以上の光を受光すると、フォトセンサ４２０は、ハイレベルの信号を出力する。一方、フォトダイオード４２２が受光する光の量が所定光量に満たないと、フォトセンサ４２０は、ローレベルの信号（押圧検知信号）を出力する。
【０１０７】
ストップボタン１９は、楕円の筒状に形成された筒部２００と、筒部２００の前方の開口を塞ぐ押圧部２２０と、光拡散フィルム２３０と、コイルバネ２４０と、で構成されている。
【０１０８】
押圧部２２０は、前方から視て楕円状の押圧面部２２１と、押圧面部２２１の周縁部から後方へ延びる側周部２２２と、を有する。側周部２２２の上部及び下部には、上下方向に貫通する係合孔２２３が形成されている。また、側周部２２２の後端部には、外側に突出する突条部２２４が係合孔２２３を挟んで２つ形成されている。突条部２２４は前方から視て半円弧状に形成されている。
【０１０９】
押圧部２２０の内側には、光拡散フィルム２３０が配置されている。光拡散フィルム２３０は、筒部２００の内部に配置されたＬＥＤ４１０からの光を拡散させて押圧面部２２１を均一に照らす。光拡散フィルム２３０は、光を十分に透過させる薄膜を形成し、且つ光の拡散度が高いフィルムを形成し得る材料、例えば、ポリアセタール樹脂や塩化ビニル、によって形成されている。
【０１１０】
図１１に示すように、筒部２００の前部における上部及び下部には、押圧部２２０の側周部２２２における係合孔２２３に係合する係合部２０１が突出している。係合部２０１が係合孔２２３に係合することによって、押圧部２２０と筒部２００とが係合している。その他の筒部２００の構成については、後述する。
コイルバネ２４０は、筒部２００と収容部３００の前部材３１０との間に挟持され、筒部２００を前方へ付勢する。
【０１１１】
カバー部５００は、略平板状の部材であり、収容部３００及びストップボタン１９を前方から覆う。カバー部５００は、ねじ５０５によって、収容部３００にねじ結合されている。カバー部５００のその他の構成については後述する。
【０１１２】
次に、図１１〜図１３を参照して、収容部３００の前部材３１０について説明する。図１２は、前部材３１０の平面図である。図１３は、前部材３１０を後斜め下方から視た斜視図である。
【０１１３】
図１１及び図１３に示すように、前部材３１０は、前板部３１１と、枠部３１２と、を有している。前板部３１１と、枠部３１２は、一体的に形成されている。
前板部３１１は、横長の平板状の部材であり、前面から視て略楕円状に後方へ凹む３つの凹部３１３Ｌ，３１３Ｃ，３１３Ｒが形成されている。凹部３１３Ｌは、前板部３１１の左側に形成され、凹部３１３Ｃは前板部３１１の中央に形成されている。そして、凹部３１３Ｒは、前板部３１１の右側に形成されている。以下、凹部３１３Ｌ，３１３Ｃ，３１３Ｒを凹部３１３と総称する場合がある。
【０１１４】
図１２に示すように、凹部３１３は、前後方向に延びる筒状の大孔部３１４と小孔部３１５とを有している。大孔部３１４は、凹部３１３の前部を形成している。小孔部３１５は、大孔部３１４の後方で中心軸線が大孔部３１４の中心軸線と同軸になるように形成され、大孔部３１４よりも内径が小さい。また、凹部３１３は、大孔部３１４の後端部と小孔部３１５の前端部とを連結する段部３１６を有している。段部３１６は、前面から視て略楕円の円環状に形成されている。
【０１１５】
図１１に示すように、大孔部３１４の内周面には、複数の摩擦低減部３１７が所定の間隔を空けて設けられている。各摩擦低減部３１７は、大孔部３１４の内周面から略垂直に突出しており、前後方向に延びる突条に形成されている。摩擦低減部３１７は、ストップボタン１９と大孔部３１４との接触面積を減らして、ストップボタン１９が収容部３００内を移動する際に発生する摩擦力を低減する。
また、図１３に示すように、大孔部３１４の外周面の下部には、左右方向に所定の距離を空けて下方に突出する突出部３１８が２つ形成されている。
【０１１６】
図１１に示すように、小孔部３１５の側周部の下部には、上下方向に貫通する貫通孔３１９が形成されている。貫通孔３１９には、後述するようにＬＥＤ４１０が下方から挿入される。貫通孔３１９の径は、ＬＥＤ４１０から照射される光が貫通孔３１９を介して、小孔部３１５外に光が漏れないように、ＬＥＤ４１０の発光部４１１の径よりもわずかに大きく設定されている。
また、図１３に示すように、小孔部３１５の外周面の下部には、左右方向に所定の距離を空けて前後方向に延びる突条部３２０が２つ形成されている。そして、凹部３１３Ｌの左側の突条部３２０の後部及び凹部３１３Ｒの右側の突条部３２０の後部には、下方に突出する突部３２１が形成されている。
【０１１７】
図１２に示すように、小孔部３１５の後端部には、後側の開口を塞ぐ底部３２２が形成されている。底部３２２の略中央には、前後方向に貫通する貫通孔３２３Ｃが形成されている。また、底部の左側及び右側には、前後方向に貫通する貫通孔３２３Ｌ，３２３Ｒが形成されている。
また、底部３２２の前面の略中央部には、前方へ円環状に突出するばね係止部３２４が形成されている。ばね係止部３２４は、コイルバネ２４０の後端部を係止する。
【０１１８】
前板部３１１の凹部３１３Ｒと凹部３１３Ｃとの間、及び、凹部３１３Ｃと凹部３１３Ｌとの間には、前後方向に貫通する２つの貫通孔３２５が設けられている。図１３に示すように、前板部３１１の後面には、貫通孔３２５に対応する位置に後方へ延びる円筒状の前筒部３２６が形成されている。貫通孔３２５と前筒部３２６の筒孔とは連通している。
【０１１９】
前板部３１１の後面の下部には、４つの嵌合孔３２７が左右方向に所定の距離を空けて形成されている。嵌合孔３２７は、矩形状で、左右両端部に形成されている嵌合孔３２７よりも中央部付近に形成されている２つの嵌合孔３２７の方が横長に形成されている。
【０１２０】
図１３に示すように、枠部３１２は、前板部３１１の後面における上端のやや下方から後方へ向かって延びる横長の平板状の上板部３２８を有している。また、枠部３１２は、上板部３２８の左右両端部から下方に曲折して延びる側板部３２９を有している。側板部３２９は、前板部３１１の左右両端のやや内側に形成されている。図１１に示すように、上板部３２８の前端部には、凹部３１３の大孔部３１４の上部が突出している。また、側板部３２９の前端部には、凹部３１３Ｌ，３１３Ｒの大孔部３１４の側周部の一部が突出している。
図１３に示すように、上板部３２８の下面には、上板部３２８を補強するために、下方に突出して前後方向に延びる８つの補強部３４０が左右方向に所定の距離を空けて形成されている。
【０１２１】
次に、図１４を参照して、収容部３００の後部材３５０について説明する。図１４は、後部材３５０の斜視図である。
図１４に示すように、後部材３５０は、横長の平板状の下板部３５１と、下板部３５１から曲折して上方へ延びる後板部３５２と、を有している。
【０１２２】
下板部３５１は、上下方向に略垂直な上面及び下面を有しており、下板部３５１の２つの長辺は、前後方向に互いに対向している。したがって、下板部３５１の一方の長辺は、下板部３５１の前端部となり、他方の長辺は、下板部３５１の後端部となる。
【０１２３】
下板部３５１の上面には、上方へ突出して前後方向に延びる８つの突条部３５３が左右方向に所定の距離を空けて形成されている。
また、下板部３５１の前端部には、前部材３１０の嵌合孔３２７に配置位置及び形状が対応する嵌合片３５４が前方へ突出するように形成されている。
【０１２４】
後板部３５２は、下板部３５１の後端部から曲折して上方へ延びる平板状に形成されており、前後方向に略垂直な前面及び後面を有している。
後板部３５２の前面の下部には、前方へ突出する６つの係止爪３５５が左右方向に所定の距離を空けて形成されている。
また、後板部３５２の前面の略中央部には、円筒状の２つの後筒部３５６が左右方向に所定の距離を空けて形成されている。後筒部３５６は、後板部３５２から前方へ延びる大径部３５７と、大径部３５７の前方に大径部３５７よりも内径及び外径が小さい小径部３５８とを有している。後述するように、後筒部３５６の筒孔には、カバー部５００と収容部３００とをねじ結合するねじ５０５が後方から挿入される。
【０１２５】
次に、図１１及び図１５〜図１７を参照して、ストップボタン１９の筒部２００の構成について説明する。
図１５は、筒部２００の正面図である。図１６は、図１５の筒部２００のＣ−Ｃ線断面図である。図１７は、筒部２００を後斜め上方から視た斜視図である。
【０１２６】
図１１に示すように、筒部２００は、前後方向に開口する筒状に形成されており、大筒部２０２と小筒部２０３とを有している。大筒部２０２は、筒部２００の前部を形成している。小筒部２０３は、大筒部２０２の後方で中心軸線Ｘが大筒部２０２の中心軸線と同軸になるように形成され、大筒部２０２よりも外径が小さい（図１６参照）。また、筒部２００は、大筒部２０２の後端部と小筒部２０３の前端部とを連結する連結部２０４を有している。
【０１２７】
図１５に示すように、連結部２０４は、前面から視て略楕円の円環状に形成されている。連結部２０４の外径は、大筒部２０２の外径よりも大きい。また、連結部２０４の外径は、収容部３００の前部材３１０における凹部３１３の大孔部３１４（図１２参照）の内径よりもやや小さい。
【０１２８】
小筒部２０３の側周部における外周面には、複数の摩擦低減部２０５が設けられている。複数の摩擦低減部２０５は、前後方向に延びる突条に形成されており、小筒部２０３の周方向に所定の間隔を空けて配置されている。この摩擦低減部２０５は、筒部２００と収容部３００の前部材３１０における小孔部３１５の内周面との接触面積を減らして、ストップボタン１９が収容部３００内を移動する際に発生する摩擦力を低減する。
【０１２９】
図１６に示すように、小筒部２０３の側周部の下部には、上下方向に貫通する略楕円状の貫通孔２０９が形成されている。貫通孔２０９の前後方向の径は、左右方向の径よりも長く、且つ、筒部２００の最大移動距離よりも長く設定されている。貫通孔２０９には、後述するようにＬＥＤ４１０が下方から挿入される。
【０１３０】
小筒部２０３の後端部には、小筒部２０３の後側の開口を封止する（塞ぐ）封止部（対向部）２０６が形成されている。図１５及び図１６に示すように、封止部２０６は、前方から視た形状が略楕円板状の部材であり、鉛直部２０７と、傾斜部２０８と、を備えている。鉛直部２０７は、小筒部２０３の開口の下側を塞いでおり、前後方向に垂直な前面を有している。傾斜部２０８は、鉛直部２０７の上端部から突出し、所定の角度で傾斜している。この傾斜部２０８は、小筒部２０３の中心軸線Ｘ及び鉛直部２０７の前面に対して傾斜する前面を有している。
【０１３１】
鉛直部２０７と傾斜部２０８の前面には、反射率の高い塗料が塗布されており、貫通孔２０９を介して小筒部２０３内に挿入されたＬＥＤ４１０の光が前方へ効率的に照射されるように、ＬＥＤ４１０の光を反射する。また、封止部２０６の後面の略中央部には、筒部２００の中心軸線及び小筒部２０３の中心軸線Ｘに沿って、後方へ向かって突出する平板状の突出部２１０が形成されている。
【０１３２】
また、図１７に示すように、封止部２０６の後面には、小筒部２０３の内径よりも小径の円筒状の補強筒部２１１と、この補強筒部２１１の外周部から放射上に突出して小筒部２０３の内周部と連結する複数の矩形状の補強片２１２とが形成されている。
【０１３３】
小筒部２０３の後部の左右両端部には、後方へ延びる一対の係止突部２１３が形成されている。係止突部２１３の後端部には、外側に曲折する鉤部２１４が形成されている。
【０１３４】
次に、カバー部５００の構成について、図１１及び図１８を参照して説明する。図１８は、カバー部５００を後斜め上方から視た斜視図である。
【０１３５】
カバー部５００は、上述のように、略平板状の部材である。カバー部５００の左右両端部は、先端に向かうにつれて上下方向の長さが短くなるように形成されている。
また、カバー部５００は、ストップボタン１９Ｌ，１９Ｃ，１９Ｒに対応して前後方向に貫通する貫通孔５０１Ｌ，５０１Ｃ，５０１Ｒが設けられている。貫通孔５０１Ｌは、カバー部５００を前方から視て左側に配置され、貫通孔５０１Ｃは、中央に配置されている。そして、貫通孔５０１Ｒは、カバー部５００を前方から視て右側に配置されている。以下、貫通孔５０１Ｌ，５０１Ｃ，５０１Ｒを貫通孔５０１と総称する場合がある。
【０１３６】
貫通孔５０１には、ストップボタン１９の押圧部２２０（図１１参照）が挿通する。貫通孔５０１の内径は、押圧部２２０の側周部２２２の外径よりもやや大きい。
【０１３７】
図１８に示すように、カバー部５００の後面における左右両端部には、係合片５０２と第１ボス部５０３がそれぞれ形成されている。係合片５０２は、フロントドア２ｂの枠部材１３（図２参照）に設けられた係合孔（図示省略）と係合する。また、第１ボス部５０３の内周面には、ねじ溝が形成されている。第１ボス部５０３は、フロントドア２ｂの枠部材１３にねじ結合する。
【０１３８】
また、カバー部５００の後面における貫通孔５０１Ｌと貫通孔５０１Ｃとの間、及び、貫通孔５０１Ｃと貫通孔５０１Ｒとの間には、後方へ延びる円筒状の第２ボス部５０４が形成されている。第２ボス部５０４の内周面には、ねじ溝（図示省略）が形成されている。
【０１３９】
次に、図１９〜図２１を参照して、操作部１５の組み付け工程及び構造について説明する。図１９は、図１０のＡ−Ａ線矢視断面図である。図２０は、図１０のＢ−Ｂ線矢視断面図である。図２１は、前部材３１０にストップスイッチ基板４００を組み付けた状態を説明する説明図である。
【０１４０】
まず、ストップボタン１９を形成し、前部材３１０の凹部３１３に収容する。具体的には、押圧部２２０（図１１参照）の内側に光拡散フィルム２３０を配置した上で押圧部２２０の側周部２２２における係合孔２２３と筒部２００の係合部２０１とを係合する。次に、前部材３１０の凹部３１３における底部３２２と筒部２００の封止部２０６とを対向させて、両部材３２２，２０６の間にコイルバネ２４０を介在させる。次に、筒部２００を前部材３１０の凹部３１３に挿入し、押圧部２２０を押圧して筒部２００を後方へ移動させる。
【０１４１】
これにより、筒部２００の係止突部２１３における鉤部２１４が、前部材３１０の底部３２２の貫通孔３２３Ｌ，３２３Ｒの外縁に当接する。その後、さらに押圧部２２０を押圧して筒部２００を後方へ移動させると、筒部２００の係止突部２１３は、初期状態から弾性変形して内側へ撓み、鉤部２１４が貫通孔３２３Ｌ，３２３Ｒを挿通する。
【０１４２】
図１９に示すように、鉤部２１４が貫通孔３２３Ｌ，３２３Ｒを挿通後、係止突部２１３は、初期状態に復帰し、係止突部２１３の鉤部２１４が前部材３１０の底部３２２に係止される。コイルバネ２４０は、筒部２００の封止部２０６と前部材３１０の底部３２２との間に挟持され、筒部２００を前方へ付勢する。係止突部２１３の鉤部２１４は、筒部２００がコイルバネ２４０によって前方へ付勢されて凹部３１３から抜け出ることを規制する。
【０１４３】
また、図２０に示すように、筒部２００の突出部２１０は、前部材３１０の凹部３１３の貫通孔３２３Ｃを挿通する。
以上のように、ストップボタン１９が形成され、前部材３１０の凹部３１３に収容される。
【０１４４】
次に、図２１に示すように、前部材３１０とストップスイッチ基板４００とを組み付ける。具体的には、前部材３１０の突部３２１をストップスイッチ基板４００の左右両端部に設けられている嵌合孔４３０（図１１参照）に挿入して両部材３１０，４００を嵌合する。なお、図２１においては、前部材３１０とストップスイッチ基板４００以外の部材については図示を省略している。
【０１４５】
前部材３１０とストップスイッチ基板４００とが組み付けられると、図２０に示すように、ＬＥＤ４１０が前部材３１０の貫通孔３１９と、筒部２００の貫通孔２０９に下方から挿入される。これにより、ＬＥＤ４１０の発光部４１１が、筒部２００の小筒部２０３における中心軸線Ｘ付近に配置される。
また、前部材３１０の小孔部３１５における突条部３２０の下端部とストップスイッチ基板４００の上面とが当接する。また、前部材３１０の大孔部３１４における突出部３１８の後端部とストップスイッチ基板４００の前端部とが当接する。
【０１４６】
次に、前部材３１０と後部材３５０とを組み付ける。具体的には、後部材３５０の嵌合片３５４（図１４参照）を前部材３１０の嵌合孔３２７に挿入して嵌合する。嵌合片３５４と嵌合孔３２７とを嵌合すると、図１９及び図２０に示すように、前部材３１０の枠部３１２における上板部３２８及び側板部３２９の後端部が後部材３５０の後板部３５２における前面の縁部に当接する。また、前部材３１０の枠部３１２における側板部３２９の下端部が後部材３５０の下板部３５１の上面における左右両端部に当接する。このように、前部材３１０と後部材３５０とが組み付けられることによって、収容部３００が形成される。
【０１４７】
図１９に示すように、後部材３５０の後筒部３５６における小径部３５８の前端部は、前部材３１０の前筒部３２６の後端部と当接し、後筒部３５６の筒孔と前筒部３２６の筒孔とが連通する。
また、図２０に示すように、後部材３５０の下板部３５１における突条部３５３の上端部は、ストップスイッチ基板４００の下面と当接する。また、後部材３５０の後板部３５２における係止爪３５５は、ストップスイッチ基板４００の上面における後端部に当接する。したがって、ストップスイッチ基板４００の収容位置は、前部材３１０の小孔部３１５における突条部３２０及び突部３２１並びに大孔部３１４における突出部３１８と、後部材３５０の突条部３５３及び係止爪３５５と、によって規定される。
【０１４８】
次に、カバー部５００を収容部３００に取り付ける。具体的には、図１９に示すように、カバー部５００の第２ボス部５０４を収容部３００の前部材３１０の貫通孔３２５及び前筒部３２６の筒孔に挿入し、第２ボス部５０４の後端部と後部材３５０の後筒部３５６の前端部とを当接させる。これによって、第２ボス部５０４の筒孔と後筒部３５６の筒孔とを連通させる。次に、後筒部３５６の後方からねじ５０５を挿入し、収容部３００の後部材３５０とカバー部５００とをねじ結合する。カバー部５００を収容部３００に取り付けると、カバー部５００の貫通孔５０１の内周縁部が、ストップボタン１９の押圧部２２０における側周部２２２の突条部２２４と当接し、ストップボタン１９が収容部３００の凹部３１３から抜け出ることを規制する。
【０１４９】
次に、図２０及び図２２を参照して本実施の形態の作用について説明する。
図２２は、図１０の操作部１５のストップボタン１９を押圧した状態のＢ−Ｂ線矢視断面図である。
【０１５０】
操作部１５のストップスイッチ基板４００におけるＬＥＤ４１０がメインＣＰＵ９３から出力された点灯信号を受信すると、ＬＥＤ４１０の発光部４１１が発光する。
【０１５１】
図２０に示すように、ＬＥＤ４１０の発光部４１１は、ストップボタン１９の筒部２００における小筒部２０３の中心軸線Ｘ付近に位置している。また、ストップボタン１９の後方の開口は封止部２０６によって封止されており、封止部２０６における鉛直部２０７及び傾斜部２０８の前面には、反射率の高い塗料が塗布されている。このため、ＬＥＤ４１０の光が効率的に反射されて前方へ照射される。
前方へ照射された光は、光拡散フィルム２３０で拡散されて、ストップボタン１９の押圧部２２０における押圧面部２２１が均一に照射される。
【０１５２】
図２２に示すように、押圧部２２０が押圧されて、ストップボタン１９が後方へ移動すると、突出部２１０がフォトセンサ４２０の発光ダイオード４２１とフォトダイオード４２２との間に介在する。そして、突出部２１０が、フォトダイオード４２２に照射される発光ダイオード４２１の光を遮断する。このとき、封止部２０６が、後方へ照射されるＬＥＤ４１０の光を遮断するので、フォトセンサ４２０にＬＥＤ４１０の光が照射されない。このため、フォトダイオード４２２が受光する光の量が所定光量に満たなくなり、フォトセンサ４２０は、ローレベルの信号（押圧検知信号）を出力する。メインＣＰＵ９３は、ローレベルの信号（押圧検知信号）に基づいて、消灯信号を出力する。そして、ＬＥＤ４１０は、消灯信号に従って消灯する。
【０１５３】
また、押圧部２２０が押圧されて、ストップボタン１９が後方へ所定距離移動すると、筒部２００の連結部２０４の後面が収容部３００の前部材３１０における凹部３１３の段部３１６の前面に当接する。このため、ストップボタン１９がさらに後方へ移動することを規制する。
【０１５４】
本実施の形態では、ストップボタン１９の突出部２１０が、封止部２０６の後面における中心部付近から筒部２００の中心軸線Ｘに沿って突出しているので、押圧部２２０の押圧箇所に応じた突出部２１０の移動量の変動を小さくすることができる。このため、遊技者の押圧部２２０の押圧箇所に関わらず、フォトセンサ４２０は、押圧部２２０の押圧に伴う突出部２１０の移動、すなわちストップボタン１９の移動を精度良く検出することができる。このため、遊技者が意図した操作を精度良く検出することができる。
【０１５５】
また、封止部２０６が後方へ照射されるＬＥＤ４１０の光を遮断して、フォトセンサ４２０にＬＥＤ４１０の光が照射されないので、フォトセンサ４２０はストップボタン１９の移動を精度良く検出することができる。このため、遊技者が意図した操作を精度良く検出することができる。
【０１５６】
また、ＬＥＤ４１０の発光部４１１が、筒部２００の貫通孔２０９を介して筒部２００の筒孔内における筒部２００の小筒部２０３の中心軸線Ｘ付近に配置される。
このため、発光部４１１から照射される光によって、押圧部２２０の押圧面部２２１を均一に光らせることができる。
【０１５７】
以上、本発明者によってなされた発明を適用した実施の形態について説明した。しかしながら、上記実施の形態による発明の開示の一部をなす論述及び図面により本発明は限定されることはなく、特許請求の範囲に記載した発明の要旨を逸脱しない範囲内で種々の変形実施が可能である。
【０１５８】
例えば、本発明を、パチスロ１に設けられたＢＥＴボタン２２に適用してもよい。また、パチンコ機やパチスロに設けられた演出用のボタンに適用してもよい。
【０１５９】
本実施形態では、ストップボタン１９を略楕円筒状に形成した態様を説明したが、ストップボタンを断面四角形などの多角形筒状や断面真円状に形成してもよい。また、ストップボタンを円錐台や多角錐台のような錐台状に形成してもよい。
【符号の説明】
【０１６０】
１…パチスロ、  ３Ｌ，３Ｃ，３Ｒ…リール、  １５…操作部、  １９…ストップボタン（押圧体）、  ２００…筒部、  ２０２…大筒部、  ２０３…小筒部、  ２０４…連結部、  ２０６…封止部（対向部）、  ２０７…鉛直部、  ２０８…傾斜部、  ２０９…貫通孔、  ２１０…突出部  ２１３…係止突部、  ２２０…押圧部、  ２３０…光拡散フィルム、  ２４０…コイルバネ、  ３００…収容部、  ３１０…前部材、  ３１３…凹部、  ３１９…貫通孔、  ３２２…底部、  ３２３Ｃ…貫通孔、  ３５０…後部材、  ４００…ストップスイッチ基板（基板）、  ４１０…ＬＥＤ、  ４１１…発光部、  ４２０…フォトセンサ（光学センサ）、  ４２１…発光ダイオード、  ４２２…フォトダイオード、  ５００…カバー部、  Ｘ…小筒部の中心軸線
【図１】
0005571204.tif 000002
【図２】
0005571204.tif 000003
【図３】
0005571204.tif 000004
【図４】
0005571204.tif 000005
【図７】
0005571204.tif 000006
【図８】
0005571204.tif 000007
【図９】
0005571204.tif 000008
【図１０】
0005571204.tif 000009
【図１２】
0005571204.tif 000010
【図１３】
0005571204.tif 000011
【図１４】
0005571204.tif 000012
【図１５】
0005571204.tif 000013
【図１６】
0005571204.tif 000014
【図１７】
0005571204.tif 000015
【図１８】
0005571204.tif 000016
【図１９】
0005571204.tif 000017
【図２０】
0005571204.tif 000018
【図２１】
0005571204.tif 000019
【図２２】
0005571204.tif 000020
【図５】
0005571204.tif 000021
【図６】
0005571204.tif 000022
【図１１】
0005571204.tif 000023